(57)【要約】【課題】  マイクロホンの振動によって生じるマイクロホンケース内の圧力変化を軽減させることにより、振動雑音を低減することができるマイクロホンに関するものである。【解決手段】  ケースと、このケースの前端部に装着されたヘッドカバーと、前記ケースとヘッドカバーの間に装着される防振部材と、マイクロホンユニットを上記防振部材を介してケースに固定してなるマイクロホンであって、上記ヘッドカバーの側部に、上記ケースの内部から外部に連通する音響孔を有するマイクロホンによる。【選択図】図１
2008177633.tif 000002
【特許請求の範囲】
【請求項１】
ケースと、このケースの前端部に装着されたヘッドカバーと、前記ケースとヘッドカバーの間に装着される防振部材と、この防振部材を介してマイクロホンユニットをケースに固定してなるマイクロホンであって、
上記ヘッドカバーの側部に、上記ケースの内部から外部に連通する音響孔を有することを特徴とするマイクロホン。
【請求項２】
上記音響孔は、上記防振部材の近傍に位置することを特徴とする請求項１記載のマイクロホン。
【請求項３】
上記マイクロホンユニットの音響端子を覆って音響抵抗が設置されていることを特徴とする請求項１または２に記載のマイクロホン。
【発明の詳細な説明】
【技術分野】
【０００１】
本発明は、マイクロホンの振動によって生じるマイクロホンケース内の圧力変化を軽減させることにより、振動雑音を低減することができるマイクロホンに関するものである。
【背景技術】
【０００２】
マイクロホンを握る時や持ちかえる時に生じた振動が、マイクロホンケースを伝搬し、内蔵するマイクロホンユニットに伝達すると振動雑音を発生してしまう。この振動雑音を防止するために、マイクロホンケースに内蔵するマイクロホンユニットに対して、防振機構を施したマイクロホンが知られている（例えば特許文献１を参照）。
【０００３】
【特許文献１】特開平７−２４５７９５号公報
【０００４】
特許文献１に記載されているマイクロホンによれば、マイクロホンユニットの底面部に肉厚形状を有する防振ゴムを設置し、この防振ゴムを介してマイクロホンユニットをマイクロホンケースに装着することで、マイクロホンケースに発生する振動の低振動成分を有効に吸収することができ、振動雑音を防止することができる。
【０００５】
上記のマイクロホンにおいて、マイクロホンケースの最上部には風防の為のヘッドカバーを装着し、上記ヘッドカバーとマイクロホンケース内に装着されるマイクロホンユニットとの間には空気室が形成される。この空気室の容積はなるべく小さい方が音響特性の良いマイクロホンを得ることができる。そのため、上記の防振機構（以下「ショックマウント」という）をマイクロホンケースの前端部に配置して、このショックマウントを介して装着するマイクロホンユニットと上記ヘッドカバーによって形成される空気室の容積を小さくする方がより望ましい。
【０００６】
このようにマイクロホンユニットを実装した従来のマイクロホンの例を、図３及び図４に示す。図３及び図４は、従来のマイクロホンの例を縦断面図である。図３においてマイクロホン１は、ケース１２の前端部にショックマウント１１を装着し、このショックマウント１１を介してマイクユニット１０を装着している。マイクユニット１０は、音声等の振動を電気信号に変換する機能を有するものである。また、ショックマウント１１は、上記マイクユニット１０をケース１２に固定すると共に、ケース１２からマイクユニット１０に対して伝達する振動を防止するために必要な弾力性のある素材で構成されている。また、このショックマウント１１をケース１２との間に挟むようにしてヘッドカバー１４が装着されている。ヘッドカバー１４は、マイクケース１２の前端部を覆うように装着されており、マイクユニット１０の音響端子１３に、直接外気が当たることを防止して風雑音の発生を防ぐ役割を有する。上記音響端子１３を構成する部材は、上記ショックマウント１１に外周部が固定されており、音響端子１３と上記ヘッドカバー１４との間に空気室１５を形成している。
【０００７】
落下等によってマイクロホン１が衝撃を受け、図３において上下方向に振動した場合、ショックマウント１１は、その振動を打ち消すように変位する。例えば、マイクロホン１が下方向に変位した場合のショックマウント１１の動作とその効果について図４を用いて説明する。図４において、マイクユニット１は、図３に示す状態から下方向に振動によって変位している。このようにマイクユニット１が下方向に変位すると、ショックマウント１１は上方向に伸び上がるように変位する。
【０００８】
このように、ショックマウント１１がケース１２に対して相対的に変位することで、マイクユニット１０に伝搬する振動を相殺して、ケース１２の振動による振動雑音の発生を防止することができるが、音響端子１３とヘッドカバー１４が相対的に接近するため、空気室１５内の空気が圧縮されて、空気室１５内の圧力が上昇することになる。逆に、マイクロホン１が上方向に変位した場合は、空気室１５内の空気が伸張されて圧力が低下することになる。マイクロホン１に上下振動が加わると、上記のように、空気室１５内に連続的な圧力変化が生じることになり、この圧力変化によって、音響端子１３の振動が増加して振動雑音の要因となる。
【０００９】
従って、上下方向の振動をショックマウント１１の弾力によって吸収するように構成すると、このショックマウント１１の変位によって音響端子１３周辺の空気を振動させてしまい、この空気の振動によってかえって振動雑音を発生する原因となる。従って、ショックマウント１１を介してマイクロホンユニット１０をケース１２に装着したとしても、効果的に振動雑音を防止することができない。
【発明の開示】
【発明が解決しようとする課題】
【００１０】
本発明は、上記課題を鑑みてなされたもので、ケースの振動によって生じるケース内部の圧力変化を軽減し振動雑音を防止することができるマイクロホンを提供することを目的とする。
【課題を解決するための手段】
【００１１】
本発明は、ケースと、このケースの前端部に装着されたヘッドカバーと、前記ケースとヘッドカバーの間に装着される防振部材と、マイクロホンユニットを上記防振部材を介してケースに固定してなるマイクロホンであって、上記ヘッドカバーの側部に、上記ケースの内部から外部に連通する音響孔を有することを主な特徴とする。
【００１２】
また、本発明は、上記音響孔が上記防振部材の近傍に位置することを特徴とする。また、本発明は、上記マイクロホンユニットの音響端子を覆って音響抵抗が設置されていることを特徴とする。
【発明の効果】
【００１３】
本発明によれば、マイクロホンの振動による防振部材近傍の空気圧力変化を、音響孔を通じた空気の流出、流入によって回避することが出来るので、音響端子に伝搬する振動雑音を防止することができる。また、マイクロホンユニットの音響端子を覆うように音響抵抗を設けたので、マイクロホンの振動による発生する圧力変化を音響端子が影響を受けることなく、振動雑音を抑えることが出来る。
【発明を実施するための最良の形態】
【００１４】
以下、本発明にかかるマイクロホンの実施形態について、図１及び図２の縦断面図を用いて説明する。図１においてマイクロホン１は、ケース１２と、ケース１２の前端部に装着されたショックマウント１１と、このショックマウント１１を介して装着されたマイクユニット１０を有している。マイクユニット１０は、音声等の振動を電気信号に変換する機能を有するもので、電気音響変換方式は問わない。また、ショックマウント１１は、上記マイクユニット１０をケース１２に固定すると共に、ケース１２からマイクユニット１０に対して伝達する振動を防止するために必要な弾力性のある素材で構成されている。また、ケース１２の前端部には、上記ショックマウント１１をケース１２との間に挟むようにヘッドカバー１４が装着されている。ヘッドカバー１４は、マイクケース１２の前端部を覆うように装着されており、マイクユニット１０の音響端子１３に、直接外気が当たることを防止して風雑音の発生を防ぐ役割を有する。上記音響端子１３を構成する部材は、上記ショックマウント１１に外周部が固定されており、音響端子１３と上記ヘッドカバー１４との間に空気室１５を形成している。
【００１５】
ショックマウント１１は、上記マイクユニット１０をケース１２に固定すると共に、ケース１２からマイクユニット１０に対して伝達する振動を防止するために必要な弾力性のある素材で構成されている。
【００１６】
上記ヘッドカバー１４は有底の円筒形であって、側面に相当する部分に上記空気室１５からマイクロホン１の外側に連通する音響孔１７が形成されている。この音響孔１７は、上記ショックマウント１１の近傍に位置している。
【００１７】
また、図１において音響端子１３の前面（図１において上方）には、音響抵抗１６が設置されている。この音響抵抗１６は、マイクユニット１０と機械的に固定されている。この音響抵抗１６は、マイクロホン１の高域の周波数応答を劣化させない程度の抵抗値を有するものであって、上記ヘッドカバー１４との間に空気室１５を形成している。
【００１８】
上記構造を有するマイクロホン１において、マイクロホン１を取り落とし、あるいは急速に振るなどして図１において上下方向の振動が加わると、ショックマウント１１がケース１２と相対的に変位して、この振動を相殺し、マイクロホンユニット１０に振動が伝搬することを防止することができる。図２に、マイクロホン１が上下振動した際において、図１との対比において下方向にケース１２が変位した時点の状態を示す。
【００１９】
図２に示すように、マイクロホン１が下方向に変位すると、ショックマウント１１は相対的に上方向に変位して伸張する。この変位によってショックマウント１１は、上方向に盛り上がるように変形するので、ショックマウント１１近傍にある空気が上方向に押し上げられることになる。
【００２０】
ショックマウント１１によって押し上げられた空気により、空気室１５内の空気圧が上昇するが、ヘッドカバー１４の側面に設けられている音響孔１７によって、空気室１５内部の圧力が上昇した空気はマイクロホン１の外部に排出される。
【００２１】
上記のように、マイクロホンの振動によって生じる空気室１５内部の圧力変動は、音響孔１７から空気が排出されることによって解消することができ、音響端子１３前面の空気圧の連続変動を防ぐことができるので、振動雑音を防止することが出来るようになる。
【００２２】
また、マイクロホン１の音響端子１３前面には音響抵抗１６が装着されている。この音響抵抗１６は、上記のようにマイクロホン１の上下方向振動によって発生する空気室１５内の圧力変動による音響端子１３に対する空気の衝突を緩和する働きをする。上記音響抵抗１６を装着することによって、図２に示すようにマイクロホン１が下方向に変位しても、空気室１５内の空気と、音響端子１３が直接衝突することを防止することができるので、音響端子１３がマイクロホン１の振動による振動雑音を取り込むことを防止することができる。
【００２３】
上記音響抵抗１６は、一般的には網状の部材あるいは布状の部材で構成されるが、空気室１５内の圧力変化による振動雑音の増加を抑え、かつ、高域の周波数応答を劣化することがないように、その抵抗値を設計することが必要である。
【００２４】
また、上記音響孔１７には、風雑音に対する留意のために、フィルターを設けて、マイクロホン１の外部の空気が直接空気室１５に流入することを防止することが望ましい。
【００２５】
前述のとおり、本発明にかかるマイクロホンの電気音響変換方式は特定の方式のものに限定されないが、特に、無指向性ダイナミック方式のマイクロホンに本発明を適用すればより効果的である。
【図面の簡単な説明】
【００２６】
【図１】本発明に係るマイクロホンの実施例を示す縦断面図である。
【図２】上記マイクロホンが、下方向に変位した状態を示す縦断面図である。
【図３】従来のマイクロホンの実施例を示す縦断面図である。
【図４】上記のマイクロホンが、下方向に変位した状態を示す縦断面図である。
【符号の説明】
【００２７】
１    マイクロホン
１０  マイクロホンユニット
１１  ショックマウント
１２  ケース
１３  音響端子
１４  ヘッドカバー
１５  空気室
１６  音響抵抗
１７  音響孔
【図１】
2008177633.tif 000003
【図２】
2008177633.tif 000004
【図３】
2008177633.tif 000005
【図４】
2008177633.tif 000006